(57)【特許請求の範囲】
【請求項１】
光投射システムであって、
少なくとも複数の異なるカラーチャネルの光を出力するように構成されたイメージを形成するサブシステム、前記イメージを形成するサブシステムが各々が少なくとも前記イメージを形成するサブシステムによって出力された前記複数のカラーチャネルの単一のカラーチャネルを発生させるように構成された複数の光源サブシステムを具備すること、各々の光源サブシステムが複数のレーザーを具備すること、並びに、
少なくとも
各々の光源サブシステムにおける個々のレーザーによって出力されたレーザー光の強度を決定する、
対応する決定されたレーザーの光強度の絶対値が第一の閾値の量だけねらいのレーザーの光強度から外れるとすれば個々のレーザーの光強度を変化させるように各々の光源サブシステムをコントロールする、
前記複数のカラーチャネルの各々についてカラーチャネル強度を決定する、
対応する決定されたカラーチャネル強度の絶対値が第二の閾値の量だけねらいのカラーチャネル強度から外れるとすれば出力された光強度を変化するように各々の光源サブシステムをコントロールする、
前記複数のカラーチャネルの白色点を決定する、及び、
前記決定された白色点の絶対値が第三の閾値の量だけねらいの白色点から外れるとすれば前記複数のカラーチャネルの一つ以上のものの前記ねらいのカラーチャネル強度を変化させるように前記光源サブシステムをコントロールする
ように構成された光の強度の補正サブシステム
を具備すると共に、
各々の光源サブシステムについての光強度の出力は、対応する個々のレーザーの一以上のものについて前記ねらいのレーザーの光強度を調節することによって制御されると共に、
前記光の強度の補正サブシステムは、前記個々のレーザーの光強度をコントロールする最も高いスピードのコントロールループ、前記複数のカラーチャネルの各々の前記カラーチャネル強度をコントロールする中程度のスピードのコントロールループ、及び、前記複数のカラーチャネルの白色点をコントロールする最も低いスピードのコントロールループを含むコントロールループの階層を使用することで動作する、
システム。
【請求項２】
請求項１のシステムにおいて、
前記複数のカラーチャネルの各々は、別個の光のダンプ経路を有すると共に、
前記光の強度の補正サブシステムは、各々の光のダンプ経路における光の強度センサーを含む、
システム。
【請求項３】
請求項１のシステムにおいて、
前記複数のカラーチャネルの各々は、光のダンプ経路を共有すると共に、
前記光の強度の補正サブシステムは、前記共有された光のダンプ経路における光の強度センサーを含む、
システム。
【発明の詳細な説明】
【技術分野】
【０００１】
発明の分野
この発明は、一般に、光の投射のシステムにおける光の強度のモニタリング及びコントロールに関係する。
【背景技術】
【０００２】
発明の背景
あるものは、消費者に大きい会場における高められた視覚の経験を差し出す為に三次元の（３Ｄ）又は知覚された立体視のコンテントを表示するところの高い品質の投射システムにおける成長する関心である。ある数の娯楽の会社が、劇場における立体視のコンテントを差し出してきたものであるとはいえ、これらの会社は、一次的に、立体視のイメージの提示のためにフィルムの媒体を用いてきたものである。立体のイメージを作り出すために、二つの組みのフィルムは、二つの別個の投射の装置、各々の目のために一つのものへ、ロードされたものである。そして、左の及び右の目のイメージは、偏光させられた光を使用することで同時に投射されたものである。一つの偏光は、左の目へ提示されたイメージについて使用されたものである、そして、直交する偏光の光は、右の目へ提示されたイメージについて使用されたものである。観衆のメンバーは、直交する偏光させられた光のイメージを透過させる一方で各々の目について一つの偏光させられた光のイメージを妨げるところの対応する直交して偏光させられためがねを身につける。
【０００３】
ディジタルイメージングへの映画の産業の進行中の移行において、Ｉｍａｘのような、いくつかのベンダーは、高い品質の立体のイメージを提供するために二つの投射システムを利用することを続けてきたものである。しかしながら、より共通しては、従来のプロジェクターは、３Ｄの投射を可能とするために変更されてきたものである。
【０００４】
多色のディジタルシネマの投射のためのこれらの従来の投射の解決手段の最も将来有望なものは、イメージを形成するデバイスとして、二つの基本的なタイプの空間光変調器（ＳＬＭ）の一つのものを用いる。空間光変調器の第一のタイプは、ディジタル・ライト・プロセッサ（ＤＬＰ）、Ｔｅｘａｓ  Ｉｎｓｔｒｕｍｅｎｔｓ，Ｉｎｃ．，Ｄａｌｌａｓ，ＴＸによって開発されたディジタル・マイクロミラー・デバイス（ＤＭＤ）である。ＤＬＰは、ディジタル投射システムにおいて首尾よく用いられてきたものである。ＤＬＰデバイスは、ある数の特許、例えば、米国特許第４，４４１，７９１号、第５，５３５，０４８号、第５，６００，３８３号（全てＨｏｒｎｂｅｃｋへのもの）に記載されたものである。
【０００５】
ディジタル投射のために使用された空間光変調器の第二のタイプは、ＬＣＤ（リキッド・クリスタル・デバイス）である。ＬＣＤは、選択的に各々の対応するピクセルについての入射の光の偏光の状態を変調することによって、ピクセルのアレイとしてイメージを形成する。ＬＣＤは、高い品質のディジタルシネマの投射システムのための空間光変調器としてのいくつかの利点を有するように見える。これらの利点は、相対的に大きいデバイスのサイズ、好意的なデバイスの歩留まり、及びより高い解像度のデバイス、例えば、Ｓｏｎｙ及びＪＶＣコーポレーションより入手可能な４０９６×２１６０の解像度のデバイス、を製作するための能力を含む。ＬＣＤの空間光変調器を利用するところの電子的な投射装置の例の中で、米国特許第５，８０８，７９５号（Ｓｈｉｍｏｍｕｒａ等）に及び他の場所に開示されたものである。ＬＣＯＳ（リキッド・クリスタル・オン・シリコン）のデバイスは、大きいスケールのイメージの投射のために特に将来有望なものに見える。しかしながら、高い輝度の投射の高い熱的な負荷がこれらのデバイスの偏光の品質に影響を及ぼすので、ＬＣＤの構成部品では、特にカラー及びコントラストの点で、ディジタルシネマの高い品質の需要を維持することは、それは困難なことであることができる。
【０００６】
プロジェクターに基礎が置かれたこれらの従来のマイクロディスプレイ（ＤＬＰ又はＬＣＯＳ）から立体視のイメージを形成するための従来の方法は、左の及び右の目のコンテントの間で区別をするために二つの一次的な技術のいずれかを使用する。例えば、Ｄｏｌｂｙ  Ｌａｂｏｒａｔｏｒｉｅｓによって利用された、一つのより少ない共通の技術は、Ｍａｘｉｍｕｓ等による米国特許出願公開第２００７／０１２７１２１号に及び他の場所に記載されたような、色空間の分離を使用する。フィルターは、フレーム時間の一部分の間に一瞬に原色の各々の部分を遮断するために、白色光の照明システムにおいて利用されたものである。例えば、左の目については、赤色、青色、及び緑色（ＲＧＢ）のより低い波長のスペクトルは、ある間隔の時間について妨げられたものである。これは、他の目についての赤色、青色、及び緑色（ＲＧＢ）のより高い波長のスペクトルを妨げることと交替する。そして、各々の目と関連させられたものであるところの適当なカラーで調節された立体のコンテントは、目のための各々の変調器へ提示されたものである。観察者は、類似に二つの３色（ＲＧＢ）のスペクトルのセットの一つのものだけを透過させるところの対応するフィルターを身につける。
【０００７】
別個の立体視のイメージを形成するための第二の方法は、偏光させられた光を使用する。Ｓｖａｒｄａｌ等への米国特許第６，７９３，３４１号の例の実施形態において及び他の場所において、二つの直交する偏光の状態の各々は、二つの別個の空間光変調器の対応する一つのものへ届けられたものである。そして、両方の変調器からの偏光させられた光は、同時に投射されたものである。観察者は、各々他のものに対して直交して配向させられた左の及び右の目についての偏光の透過の軸を備えた偏光させられためがねを身につける。
【０００８】
Ｒｅａｌ−Ｄ，Ｂｅｖｅｒｌｙ  Ｈｉｌｌｓ，Ｃａによって商業化された、別のアプローチは、一つのものから他のものへ急速に切り替えられたものであるところの交互の偏光の状態を変調するために変更させられた従来のプロジェクターを使用する。これは、例えば、ＤＬＰのプロジェクターが、光の出力の経路に置かれた偏光子を有する場合に、なされたものであることができる。デバイスのパッケージの窓が、応力に誘発させられた複屈折のせいで偏光解消する際に、ＤＬＰが、一般に偏光させられたものではないものであるところの、入力の光の偏光を維持するために固有に設計されたものではないものであるので、偏光子は、要求されたものである。Ｒｏｂｉｎｓｏｎ等による米国特許出願第２００６／０２９１０５３号に記載されたタイプに類似の、色消しの偏光スイッチャーは、偏光子の後に配されたものであることができると思われる。これのタイプのスイッチャーは、ユーザーが偏光させられためがねで目視する一方で、二つの互いに異なるイメージ、各々の目への一つのもの、の提示を許容するために、交互に、直線偏光の状態のような、二つの直交する偏光の状態の間で偏光させられた光を回転させる。
【０００９】
立体視の又はモノスコープのイメージが形成されたものであるかどうかということにかかわらず、ディジタル投射システムは、最近では、ソリッドステートの光源、特にＬＥＤ及びレーザー、並びに、これらの源のアレイ、を組み込んできたものである。これらのソリッドステートの光源は、カラーの投射に使用されたより早期のランプに基礎が置かれた照明の源を超えるある数の利点を差し出す。そのような利点の中であるものは、構成部品の寿命、スペクトルの特性、輝度、及び全体的な効率である。例えば、アークランプ及び単一の白色の光源を使用する他の解決手段に対して比較されたとき、ソリッドステートの源は、投射のために利用可能な色域を拡大する。
【００１０】
ソリッドステートの光源の使用によって起こされた一つの問題は、各々のカラーチャネルからの光の出力の適切なバランスを達成することに関係する。ソリッドステートの光源のための駆動装置の回路部品は、プロジェクターからターゲットの白色点又はカラーバランスを得るために工場で較正されたものであることができる。しかしながら、構成部品のエージング及びドリフトのような因子は、カラーバランスがもはや受け入れ可能なものでないものであるように、初期のカラーの調節を劣化させることができる。これの問題は、立体視のイメージングについていっそうより決然たるものである。観察者の左の目について形成されたイメージは、全体的な輝度及びカラーバランスの点で、密接に、観察者の右の目について形成された対応するイメージに調和するべきものである。左の及び右の目のイメージについてのカラーチャネルの互換性のある強度を達成することの失敗は、投射された立体視のイメージを、観察者に対して、見えるものではないようなものに、又は、最も悪い場合には、視覚的に妨害するようなものに、することができる。
【００１１】
このように、そこにあるものは、ステレオスコピックな投射についてのもののみならず、モノスコピックなものについての、光投射システムによって出力された光の強度にわたるコントロールのより大きい尺度を提供することの要望である。
【先行技術文献】
【特許文献】
【００１２】
【特許文献１】米国特許第４，４４１，７９１号
【特許文献２】米国特許第５，５３５，０４７号
【特許文献３】米国特許第５，６００，３８３号
【特許文献４】米国特許第５，８０８，７９５号
【特許文献５】米国特許出願公開第２００７／０１２７１２１号
【特許文献６】米国特許第６，７９３，３４１号
【特許文献７】米国特許出願公開第２００６／０２９１０５３号
【発明の概要】
【課題を解決するための手段】
【００１３】
より上に記載された問題は、扱われたものであると共に、テクニカルな解決手段は、本発明の様々な実施形態に従った、光の強度をモニターする又はコントロールするためのシステム及び方法によって技術において達成されたものである。本発明のある実施形態において、光投射システムは、イメージを形成するサブシステム及び投射サブシステムを含む。イメージを形成するサブシステムは、複数の光変調チャネルを含むことができる。各々の光変調チャネルは、特定のカラーチャネルのコヒーレントな光を発生させるところの光源サブシステムを含むことができる。発生させられた光は、最も少ないときでイメージデータと整合する様式でコヒーレントな光と相互作用するために構成された光変調サブシステムまでイメージの経路に沿って伝わることができる。イメージデータに依存することで、光変調サブシステムは、投射のために投射サブシステムまで又はダンプ経路に沿ってビームダンプまでそれが受ける光を通過させる。
【００１４】
光投射システムは、光の強度の補正サブシステムを含むことができる。光の強度の補正サブシステムは、イメージの経路において、ダンプ経路において、又は、イメージを形成するサブシステムにおける光学的な構成部品から漏れた光を受けるところの位置において、光の強度センサーを含むことができる。イメージを形成するサブシステムがステレオスコピックな光を発生させるところの実施形態において、そのようなイメージセンサーは、（光変調サブシステムと関連させられた光のダンプ経路と対対照させられたものであるために）光源サブシステムと関連させられた光のダンプ経路に位置させられたものであることができる。光の強度の補正サブシステムは、光源サブシステムにおける個々のレーザーによって出力された光の強度、各々の光変調チャネルについてのカラーチャネルの光の強度、左の目／右の目の光ビームをバランスさせること、白色点、又はそれらのものの組み合わせをモニターする及びコントロールするために構成されたものであることができる。
【００１５】
それらのものの組み合わせがモニターされた及びコントロールされたものであるところの実施形態において、光の強度の補正サブシステムは、別のカラーチャネルが、増加させられたそれの出力を有することができないとき、一つの又はより多いカラーチャネルによって出力された強度を低減することによって、白色点、カラーチャネル強度、又はそれら両方をバランスさせるためにさらに構成されたものであることができる。そのような配置は、レーザーが年数又は故障と共により低い強度の出力を経験するときでさえも、白色点及びカラーチャネルの強度がバランスさせられたままであることを許容する。
【００１６】
それが、ドリフト及び構成部品の経年変化すること又は故障を補償するために、多重のレベル：レーザー、カラーチャネル、左／右のステレオスコピックなもの、及び白色点、における出力の強度の自動の微妙なチューニングの調節を許容することは、それは本発明の利点である。
【００１７】
本発明のこれらの及び他の目的、特徴、及び利点は、そこに示された及び記載されたものが例証の発明の実施形態であるところの図面との連結でとられたとき、後に続く詳述された記載の読むことの際に、技術において熟練させられたものに明白なものになることになる。
【図面の簡単な説明】
【００１８】
【図１】図１は、本発明の様々な実施形態に対して共通のものであることができるところの光投射システムにおける光学的な構成部品を図解する。
【図２】図２は、本発明のいくつかの実施形態に従った、レーザーの光強度コントロールサブシステムを備えたモノスコピックな光源サブシステムを図解する。
【図３】図３は、本発明のいくつかの実施形態に従った、レーザーの光強度コントロールサブシステム、ステレオスコピックな及びモノスコピックな光を発生させることの可能な光源サブシステム、を備えた光源サブシステムを図解する。
【図４】図４は、本発明のいくつかの実施形態に従った、レーザーの光強度コントロールサブシステム、ステレオスコピックな及びモノスコピックな光を発生させることの可能な光源サブシステム、を備えた光源サブシステムを図解する。
【図５】図５は、本発明のいくつかの実施形態に従った、レーザーの光強度コントロールサブシステム、ステレオスコピックな及びモノスコピックな光を発生させることの可能な光源サブシステム、を備えた光源サブシステムを図解する。
【図６】図６は、本発明のいくつかの実施形態に従った、イメージの経路において、最も少ないときで部分的に位置させられた、光の強度を検知するサブシステムを備えたカラーチャネル強度コントロールサブシステムを図解する。
【図７】図７は、本発明のいくつかの実施形態に従った、カラーチャネル強度をモニターする及びコントロールするための方法を図解する。
【図８】図８は、本発明のいくつかのステレオスコピックな実施形態に従った、左の目及び右の目の光ビームの間における強度のバランスをモニターする及びコントロールするための方法を図解する。
【図９】図９は、本発明のいくつかの実施形態に従った、光学的な構成部品から漏れた光を測定するための位置において、最も少ないときで部分的に、位置させられた光の強度を検知するサブシステムを備えたカラーチャネル強度コントロールサブシステムを図解する。
【図１０】図１０は、本発明のいくつかの実施形態に従った、光学的な構成部品から漏れた光を測定するための位置において、最も少ないときで部分的に、位置させられた光の強度を検知するサブシステムを備えたカラーチャネル強度コントロールサブシステムを図解する。
【図１１】図１１は、本発明のいくつかの実施形態に従った、光変調サブシステムと関連させられた光のダンプ経路において、最も少ないときで部分的に、位置させられた光の強度を検知するサブシステムを備えたカラーチャネル強度コントロールサブシステムを図解する。
【図１２】図１２は、本発明のいくつかの実施形態に従った、カラーチャネル強度コントロールサブシステム及びシャッターにおけるイメージの経路において、最も少ないときで部分的に、位置させられた光の強度を検知するサブシステムを備えた白色点コントロールサブシステムを図解する。
【図１３】図１３は、本発明のいくつかの実施形態に従った、カラーチャネル強度コントロールサブシステム及びシャッターにおけるイメージの経路において、最も少ないときで部分的に、位置させられた光の強度を検知するサブシステムを備えた白色点コントロールサブシステムを図解する。
【図１４】図１４は、本発明のいくつかの実施形態に従った、白色点をモニターする及びコントロールするための方法を図解する。
【図１５】図１５は、本発明のいくつかの実施形態に従った、シャッターにおけるイメージの経路において、最も少ないときで部分的に、位置させられた光の強度を検知するサブシステムを備えた白色点コントロールサブシステムを図解する。
【図１６】図１６は、本発明のいくつかの実施形態に従った、個々のレーザー、カラーチャネル、及び白色点コントロールループの階層性を図解する。
【図１７】図１７は、本発明のいくつかの実施形態に従った、レーザーの光強度コントロールサブシステムのハードウェアの実施を図解する。
【図１８】図１８は、本発明のいくつかの実施形態に従った、カラーチャネル強度コントロールサブシステムのハードウェアの実施を図解する。
【図１９】図１９は、本発明のいくつかの実施形態に従った、白色点コントロールサブシステムのハードウェアの実施を図解する。
【図２０】図２０は、本発明のいくつかの実施形態に従った、個々のレーザー、カラーチャネル、及び白色点コントロールループの階層性と関連させられた相対的なサンプリングの周波数を図解する。
【図２１】図２１は、本発明の特定の実施形態を実施するために使用されたものであることができるところの一つの特定の回路のレイアウトを図解する。
【発明を実施するための形態】
【００１９】
図面の手短な記載
本発明は、添付された図面との連結において考慮された、より下に贈呈された例示的な実施形態の詳述された記載からより多く容易に理解されたものであることになるが、そのところのものの：
図１は、本発明の様々な実施形態に対して共通のものであることができるところの光投射システムにおける光学的な構成部品を図解する；
図２は、本発明のいくつかの実施形態に従った、レーザーの光強度コントロールサブシステムを備えたモノスコピックな光源サブシステムを図解する；
図３〜５は、本発明のいくつかの実施形態に従った、レーザーの光強度コントロールサブシステム、ステレオスコピックな及びモノスコピックな光を発生させることの可能な光源サブシステム、を備えた光源サブシステムを図解する；
図６は、本発明のいくつかの実施形態に従った、イメージの経路において、最も少ないときで部分的に位置させられた、光の強度を検知するサブシステムを備えたカラーチャネル強度コントロールサブシステムを図解する；
図７は、本発明のいくつかの実施形態に従った、カラーチャネル強度をモニターする及びコントロールするための方法を図解する；
図８は、本発明のいくつかのステレオスコピックな実施形態に従った、左の目及び右の目の光ビームの間における強度のバランスをモニターする及びコントロールするための方法を図解する；
図９及び１０は、本発明のいくつかの実施形態に従った、光学的な構成部品から漏れた光を測定するための位置において、最も少ないときで部分的に、位置させられた光の強度を検知するサブシステムを備えたカラーチャネル強度コントロールサブシステムを図解する；
図１１は、本発明のいくつかの実施形態に従った、光変調サブシステムと関連させられた光のダンプ経路において、最も少ないときで部分的に、位置させられた光の強度を検知するサブシステムを備えたカラーチャネル強度コントロールサブシステムを図解する；
図１２及び１３は、本発明のいくつかの実施形態に従った、カラーチャネル強度コントロールサブシステム及びシャッターにおけるイメージの経路において、最も少ないときで部分的に、位置させられた光の強度を検知するサブシステムを備えた白色点コントロールサブシステムを図解する；
図１４は、本発明のいくつかの実施形態に従った、白色点をモニターする及びコントロールするための方法を図解する；
図１５は、本発明のいくつかの実施形態に従った、シャッターにおけるイメージの経路において、最も少ないときで部分的に、位置させられた光の強度を検知するサブシステムを備えた白色点コントロールサブシステムを図解する；
図１６は、本発明のいくつかの実施形態に従った、個々のレーザー、カラーチャネル、及び白色点コントロールループの階層性を図解する；
図１７は、本発明のいくつかの実施形態に従った、レーザーの光強度コントロールサブシステムのハードウェアの実施を図解する；
図１８は、本発明のいくつかの実施形態に従った、カラーチャネル強度コントロールサブシステムのハードウェアの実施を図解する；
図１９は、本発明のいくつかの実施形態に従った、白色点コントロールサブシステムのハードウェアの実施を図解する；
図２０は、本発明のいくつかの実施形態に従った、個々のレーザー、カラーチャネル、及び白色点コントロールループの階層性と関連させられた相対的なサンプリングの周波数を図解する；並びに、
図２１は、本発明の特定の実施形態を実施するために使用されたものであることができるところの一つの特定の回路のレイアウトを図解する。
【００２０】
発明の詳述された記載
本記載は、特定のものにおいて、発明との一致における装置の部分を形成する、又は、それとより多く直接的に協働する、要素へ向けられたものである。具体的に示された又は記載されたものではない要素が、技術において熟練させられたものに良好に知られた様々な形態を取ることがあることは、それは理解されたものであるためのものである。
【００２１】
ここに示された及び記載された図は、本発明に従った動作の原理を例示するために提供されたものであると共に、現実のサイズ又はスケールを示すことの意図と共に描かれたものではないものである。本発明のレーザーアレイについての構成部品の部分の相対的な寸法の理由のために、いくらかの誇張は、基本的な構造、形状、及び動作の原理を協調する為に、必要なものである。
【００２２】
発明は、ここに記載された実施形態の組み合わせの含めるものである。“特定の実施形態”及び同様のものへの参照は、発明の最も少ないときで一つの実施形態に有るものであるところの特徴に言及する。“ある実施形態”又は“特定の実施形態”又は同様のものへの別個の参照は、同じ単数又は複数の実施形態に必ずしも言及するものではないものである；しかしながら、そのような実施形態は、そのように指し示された又は技術における熟練の一つに容易に明白なものであるようなものでないかぎり、相互に排他的なものではないものである。“単数の方法”又は“複数の方法”及び同様のものへ参照することにおける単数もの及び／又は複数のものの使用は、限定するものではないものである。
【００２３】
さもなければ明示的に留意された又は文脈によって要求されたものでない限り、単語“又は”が、非排他的な意義でこれの開示において使用されたものであることは、留意されたものであるべきである。
【００２４】
本発明の実施例は、コヒーレント光投射システムの光度の改良されたモニタリングおよび制御の必要について述べる。例えば、本発明の実施例は、立体的な投射システムの左の目および右の目画像の間で釣合いがとれている改良された強度を提供する。他の実施例のために、本発明の実施例は、好適な構成が設計選択に基づいて選択されることができているさまざまな光度センサ構成を提供する。さらにもう一つの実施例のために、本発明の実施例は、改良されたシステム・レベルの輝度調節にフィードバック・システムを提供する。フィードバック・システムは、色−チャネル輝度調節システムからフィードバックを経て白い位置輝度調節を管理して、レーザー−輝度調節システムから、フィードバックを経て色−輝度調節を管理する。さらにさらにもう一つの実施例のために、本発明の実施例は、閾値光出力強度を成し遂げるために一つ以上の光源の不能を占めるマナーの光度を調整する失敗反応手順を含む。これらの、そしてまた他の、能力および利点は、この説明の剰余において更に詳細に記載されている。
【００２５】
よりよく本発明の各種実施形態を理解するために、最初にこの種の各種実施形態に共通でありえる実施例構成要素を記載することは、有益である。これらの実施例構成要素は図１に示される。そして、それは本発明の実施例のために用いられることができる光投射システム１０を例示する。しかしながら、当業者は、本発明が図１に示されて、それの特定の光学的コンポーネントおよび構成に限られていない、そして、他の光学部品、構成または両方とも使われることができると従来技術において認める。
【００２６】
光投射システム１０は、光１５を出力する画像形成システム１１（また、画像形成サブシステムと称する）を含む。画像形成サブシステム１１が公知技術の技術を使用しているモノスコピックであるか立体的な画像形成システムであるように構成されるかどうかによって、光１５は、モノスコピックでありえるか、立体的でありえる。従って、画像形成サブシステム１１の構成によって、光投射システム１０は、モノスコピックであるか立体的な光投射システム１０でありえる。
【００２７】
画像形成サブシステム１１の構成によって、画像形成サブシステム１１から出力される光１５は、モノスコピックであるか立体的な画像を投影する投射システム１３（また、投影サブシステムと称する）によって受信される。この点に関しては、投影サブシステム１３は、周知のように一つ以上のレンズ要素を含むことができる。いくつかの実施形態では、投影サブシステム１３は、ディスプレイ面８０の方へモノスコピックであるか立体的な画像を投影する。
【００２８】
光１５は、光の多数の色チャネルを含むことができる。図１において、それぞれ、光１５は、光変調チャネル４０ｒ、４０ｇおよび４０ｂから光の赤・緑・青調整された色チャネルを含む。しかしながら、当業者は、本発明がいかなる特定の数または色チャネルの構成に限られていないと従来技術において認める。図１において、赤・緑・青カラー・チャネルは、画像形成システム１１から出力される光１５を形成するために、二色性のコンバイナ１７によって結合される。
【００２９】
図１の実施例において、各々の光変調チャネル４０ｒ、４０ｇおよび４０ｂは、コヒーレント光源システム４２（また、コヒーレント光源サブシステムまたはちょうど光源サブシステムと称する）を含む。図１が明確にするため赤ランプ変調チャネル４０ｒだけの構成要素のための参照番号を含む点に注意する。しかしながら、参照番号なしでが、同じ構成要素がまた、他の光変調チャネル４０ｇおよび４０ｂのための図１において代表されると理解されなければならない。
【００３０】
この場合、各々のコヒーレント光源サブシステム４２は光の多数の色チャネルの単色チャネルを発する。そして、赤いか、緑であるか、または、青い。従って、任意に光導体５２を維持している任意の分極化に光を導くレンズ５０に、各々のコヒーレント光源サブシステム４２は、画像経路２１に沿ってコヒーレント光４１を発する。画像経路２１が図１のまっすぐに示されるにもかかわらず、それがある必要はない。また、光導体５２が説明を簡単にするため矩形であるとして示されるにもかかわらず、当業者は光導体がしばしば異なる形状（例えば漸減している形状）になると従来技術において認める。光導体５２の出力で、あるいは、さもないと直接、レンズ５０または光源システム４２から光を受け取って、レンズ５４は、それから、インテグレータ５１（例えば従来技術において、例えば公知のハエの目インテグレータまたは集積している棒）による光を導く。インテグレータ５１を出ている光は、画像経路２１に沿って下流に、光変調システム（またはサブシステム）まで進行する６０。光変調サブシステム６０は空間光変調器を含むことができる。そして、従来技術において公知である。各々の光変調サブシステム６０はそれが画像データと整合した方法で受信する（最初は対応する光源サブシステム４２から）照明と相互に作用する。そして、例えば、それは画像フレームを映画において代表しているデータを撮像する。この点に関しては、技術を使用している画像データおよび従来技術において公知の器材と整合した方法の各々の光モジュレータ・サブシステム６０を制御する制御信号は、データ処理システム（図示せず）（例えば制御システム）によって、各々の光変調サブシステム６０に提供される。特に、光変調サブシステム６０は、画像データ信号に従って入射光線を調整するアドレス指定可能なモジュレータ・ピクセル（図示せず）の二次元の配列を含むことができる。光変調は種々の装置によって提供されることができる。そして、マイクロ鏡（ＤＬＰ）、分極化回転（ＬＣＯＳまたはＬＣＤ）、光散乱、吸収または回折の中で傾くことによってリダイレクションを含む。
【００３１】
各々の光変調サブシステム６０によって、画像経路２１か画像データと整合した方法のそれぞれの明るいダンプ経路１９をたどるためにそれぞれの光源サブシステム４２から発生する光が生じる。明るいダンプ通路１９は、それぞれのビームダンプ２２に通じて、投影サブシステム１３に通じない。一方では、画像通路２１は、投影サブシステム１３に通じる。例えば、画像データが特定ピクセルが、すなわち、完全に明るいことであることを示す場合、最大強度（サブシステム６０がこの種のピクセルと関連する光に画像経路２１に沿って完全に通過させるそれぞれの光変調）を有する。一方では、データが、すなわち、特定ピクセルが完全にはあることになっていることを示す画像が光度を有しない場合、それぞれの光変調サブシステム６０はこの種のピクセルと関連する光に明るいダンプ経路１９に沿って完全に通過させる。画像データが特定ピクセルが、すなわち、適度な強度を完全には進行中であるか完全には離れているようにしないことであることを示す場合には、それぞれの光変調サブシステム６０はこの種のピクセルと関連するいくつかの光に画像経路２１に沿って通過させる、そして、光に沿って通過する一部は経路１９を廃棄する。図１が別々の明るいダンプ経路１９および各々の明るい変調チャネルのためのビームダンプ２２を示すにもかかわらず、設計選択によって、明るい変調チャネル４０の一部または全ては明るいダンプ経路１９およびビームダンプ２２を共有することができる。
【００３２】
通過するかまたは光変調サブシステム６０によって画像経路２１に沿って目指す光は、４０ｇ、二色性のコンバイナ１７による４０ｂ、他の明るい変調チャネルから、対応する照明と結合される。二色性のコンバイナ１７（そして、従って、この例でサブシステム１１を形成している画像）によって出力される複合光１５は、任意のシャッタ６５（それが開位置においてあるときに）で、そして、投影サブシステム１３上に通過する。ある状況では、光投射システム１０がいつ暖まっているかまたは光強度測定回路か他の診断状態においてあるか、シャッタ６５は、閉鎖位置においてありえる。シャッタ６５が閉鎖位置においてあるときに、モノスコピックであるか立体的であるにせよ、光が予防されることを下流で進歩して、映像を進める。換言すれば、光は、画像形成サブシステム１１または、従って、光投射システム１０を出ない。シャッタ６５は、モーター６６によるその開位置と閉位置および従来技術において周知である付加的な機械の構成要素（図示せず）に持ち込まれる。
【００３３】
投影サブシステム１３は、ディスプレイ面８０に画像形成サブシステム１１から出る調整された光出力を導く。上記のように、画像形成サブシステム１１の設計によって、光投影サブシステム１３は、モノスコピックな画像、立体的な画像または両方とも突設することができる。本発明がモノスコピックであるか立体的な光を生成するために画像形成サブシステム１１のいかなる特定の構成にも限られていないにもかかわらず、図２はちょうどモノスコピックな光を生成する光源サブシステム４２の１つの実施例を例示する、そして、図３−５はちょうど立体的な光を生成する光源サブシステム４２の１つの実施例を例示する。
【００３４】
図２において、モノスコピックな光は、複数の個々のレーザー２６（全てが、明確にするため図２の参照番号についてのラベルがついているというわけではない）から発生する。この例では、個々のレーザー２６は固体レーザアレイ４４において形成される。そして、それはレーザドライバ９４、９４によって駆動される。留意する必要があるそのレーザドライバ９４、９４単に象徴的に図２に示されて、そして、示すように、レーザアレイ４４が一体的に形成されていなければならないだけではない。レーザドライバは公知技術である、そして、本発明はいかなる特定の構成にも限られていない。類似したコメントは図３に関係する。そして、後述する。それらがレーザアレイ４４から発されるコヒーレント光と結合されるために、レーザアレイ４４から発されるコヒーレント光は鏡４６によってリダイレクトされる。以下、図２（そして、図３および４）に示されるレーザー−光強度測定回路システム４９について説明する。
【００３５】
図３において、立体的な光は、４４ａ、４４ｂ（全てが、明確にするため図３の参照番号についてのラベルがついているというわけではない）、分極化する固体レーザアレイの２つのバンクから発生する。分極化するレーザアレイ４４ａおよび４４ｂ（レーザドライバ９４ａによってドライブされる）は、９４ｂ、それぞれの光をリダイレクトしているプリズム３１に光を出力する。そして、従来技術において公知である。光をリダイレクトしているプリズム３１は、それらが回転シャッタ７１の方へ受信する光をリダイレクトする。半波長板６４は、レーザアレイ４４ｂから光に対して直角の分極化状態に、レーザアレイ４４ａから光を変える。半波長板６４による光出力は右の目光線５８を表す。そして、それには左の目光線５７に直角分極化状態がある。
【００３６】
回転シャッタ７１は、直角偏光状態の間で合併される光軸の経路にある。回転シャッタ７１の位置は、モーター７２を制御する制御回路７４によって制御される。回転シャッタ７１（図４に示される）は、最低２つの部分を有する伝達するディスクを備えている。第１の部分７１ａは、実質的に、それの事件である光の全てを送信するように設計されている。交互の部分７１ｂは、実質的に、それの事件である光の全てを反映するように設計されている。伝達部分７１ａが光軸に沿って位置するときに、レーザアレイ４４ｂは残りの画像形成サブシステム１１によって伝達する。その一方で、レーザアレイ４４ａはビームダンプ７３によって吸収される明るいダンプ経路７６に沿って送信される。若干の実施例で、光源サブシステム光ダンプ経路７６は、明るい変調サブシステム光ダンプ経路１９と対比されることになっている。特に、明るいダンプ経路７６は、若干の立体的な実施例のための光源サブシステム４２と関係していて、左の目光線または右の目光線（１が図５につき外れた状態においてあるものはどれでも）を廃棄する。一方では、明るいダンプ経路１９は、若干の実施例において、光変調サブシステム６０と関係していて、画像データにつき画像を形成するために必要でない光（モノスコピックであるか立体的であるにせよ）を廃棄する。
【００３７】
任意の個々のレーザー光度センサ９３は、後述する。あるいは、反射する部分７１ｂ（図４）が光軸に沿ってあるときに、４４ａ（図３）が残りの画像形成サブシステム１１に反映されるレーザアレイおよびレーザアレイ４４ｂからの光からの光はビームダンプ７３の方向を目指す。このように、図１に示すように、直角分極化を交替させる出力光４１（図１（図）。３）は、空間光変調サブシステム６０への画像道２１に沿って分配される。空間光変調サブシステム６０は、左の目および右の目画像データと整合した方法のこの光４１から、立体的なイメージを出す。
【００３８】
図４に示すように、遷移領域７１ｃが偏光状態の間に存在する点に留意する必要がある。２つの地方７１ａおよび７１ｂ間の光７５は、両方の偏光状態を含む。この状態は、２つの目（別名ゴースト）のイメージ間の漏話の原因となる。漏話の若干の量は、受け入れられてもよい。漏話が過剰な場合、空間光変調サブシステム６０はこの過渡期の間にオフ状態に向けられることができる。そして、若干の失われた光を犠牲にして漏話を除去する。空間光変調サブシステム６０が左の目および右の目光線生成の間で離れている時間は消している期間と呼ばれる。従って、遷移領域７１ｃを減らすことは、望ましくありえる。この種の減少は、照明７５の点寸法を減らすか、シャッタ車輪７１を大きくすることによって、外径の方へ実際的であるのと同程度はるかに光７５を配置することによって成し遂げられることができる。
【００３９】
図３の実施例の非立体的なアプリケーションのために、分極化するレーザアレイ４４ａおよび４４ｂの両岸からの光は、一緒に、より明るいモノスコピックな画像（分極化を交替させることを問わず）を提供するために用いてもよい。レーザアレイ４４ａが、４４ｂ、各々のレーザ源の寿命を釣り合わせて、立体的な画像と同程度明るいモノスコピックなイメージを出す半分の力で使われることができる。この点に関しては、光源サブシステム４２が単一の構成のモノスコピックで立体的なイメージを出すことができることが分かる。
【００４０】
図２に一旦戻って、サブシステム２３がそうである光度−修正は、本発明の一実施例によれば、それがレーザー光輝度調節サブシステム４９（時々「ｌｌ」または「ｌｌサブシステム」と称する）をモノスコピックな光源サブシステム４２に含むことを示した。しかしながら、当業者は、サブシステム４９が図２に示されるものの他に他のモノスコピックな実施態様で使われることができると認める。レーザー−光度制御システム４９は、各々のレーザー２６から出力光度をモニタして、制御する。レーザー−光度制御システム４９（またはレーザー−光度制御システム２３）が、それに関しては、監視機能だけを含む実施例において、この種のシステムは、時々「制御」システムの代わりに本明細書において、「測定」システムと称される。
【００４１】
各々のレーザー２６からの出力光度のモニタリングは、いかなる数の方法で起こることができる。例えば、レーザー２６の光度のモニタリングは、公知技術の技術を用いて、対応するレーザアレイ４４の中で起こることができる。この場合、図示しないフィードバックループは、各々のレーザアレイ４４をＬｌサブシステム４９に接続する。個々のレーザーの監視光度の他の技術は、受信して、レーザーから生じて光、が、画像形成サブシステムの光学部品から漏らされて測定する位置の光度センサ（例えばフォトダイオード）を配置することである。例えば、フォトダイオードは、この種のレーザー光線を反射する鏡（例えば鏡４６のうちの１つ）または他の実質的に反射する光学エレメントの後に配置されることができた。概して、最高のミラー・コーティングは、光事件の約０．２〜０．５％をまだ漏らす。この種の漏出光は、対応するレーザー光線の強度を決定するために測定されることができる。この点に関しては、フォト・ダイオード（図示せず）は、それが漏らされた光を測定する位置にまたは実質的にレーザー２６のうちの１つからのレーザビームから鏡４６のうちの１つの後に配置されることができた。この種の技術はまた、色チャネル強度を計量するために用いることができる、そして、白い小数点は下記を述べた。
【００４２】
本発明の若干の実施例、サブシステム４９が増加することか電圧を減少させることによる各々のレーザー２６または電流から出力光度を制御するＬｌまたはレーザドライバ９４、９４の調整されているデューティサイクル（オン／オフ動作の時間を繰り返した）によって各々のレーザアレイ４４、４４と関連する。この種のドライバ９４（従来技術において公知の）は、付随するレーザアレイ４４、４４の個々のレーザー２６の出力光輝度調節を可能にする回路（図示せず）を結びつけた。
【００４３】
図３および４は、本発明の一実施例によれば、レーザー光輝度調節サブシステム４９を立体的な光源サブシステム４２に含む光度−修正サブシステム２３を例示する。しかしながら、当業者は、サブシステム４９が図３および４に示されるものの他に他の立体的な実施態様で使われることができると認める。図２のモノスコピックな実施例と同様に、レーザー−光度制御システム４９は、各々のレーザー２６から出力光度をモニタして、制御する。この点に関しては、いかなる技術も用いられることができるにもかかわらず、各々のレーザー２６からの出力光度は、４４ａ、４４ｂ、内部的に対応するレーザアレイで測定されることができる。他の実施例は、ビームダンプ７３上の対応する個々のレーザー光度センサ９３を使用している各々のレーザー２６から出力光度を計量することである。この場合、いずれのレーザアレイ４４ａからもの光または４４ｂが回転シャッタ７１によってビームダンプに通過するにつれて、個々のレーザー光度は計量されることができる。したがって、センサ９３からのフィードバックはいくらかのコミュニケーションの接続によってＬｌサブシステム４９に提供されることができる。そして、図３に示されない。図２の実施例と同様にも、レーザー−光度制御システム４９は、各々のレーザー２６から出力光度をモニタして、制御する。
【００４４】
図６−１３は、本発明の各種実施形態に従って、色−チャネルレベル強度監視および制御を例示する。特に、本発明の一実施例によれば、図６は、赤ランプ変調チャネル４Ｏｒのための光度−修正サブシステム２３を例示する。図６に示される光度−修正サブシステム２３は、各々の他の色チャネルのために繰り返されることができる。いくつかの実施形態では、光度−修正サブシステム２３は、色チャネル輝度調節サブシステム４７（時々「Ｌ２」または「Ｌ２サブシステム」と称する）および光度を検出しているサブシステム９２を含む。検知サブシステム９２は、一つ以上のセンサ（例えばフォトダイオード、その計測光度）を含むことができる。光度−修正サブシステム２３は、また、適切な接続を含むことができて、回路（従来技術において公知の）を直接または間接的に、レーザドライバ９４（図６に示されない）を、必要に応じて、光源サブシステム４２によって発生するコヒーレント光４１を調整するために制御するために制御することができる。
【００４５】
図６において、検知サブシステム９２は、画像経路２１にあることができる。この点に関しては、例えば、検知サブシステム９２は、画像経路２１との間で検知サブシステム９２を移動する機械の装置（図示せず）およびモーター（図示せず）に取り付けられることができる。例えば、検知サブシステム９２は画像経路２１に持ち込まれることができる。そのとき、シャッタ６５は閉じる。その結果、強度測定はされることができる。シャッタ６５が開くときに、例えば、見える画像が画像形成によってサブシステム１１（図でなく、図１において示す明確にするため。６）を生成するときに、検知サブシステム９２は画像経路２１から取り除かれることができる。
【００４６】
図７は、本発明の実施例に、色チャネル強度をモニタして、調整すること間の、一致したＬ２サブシステム４７によって実行される方法１００である。方法状態１０２で、Ｌ２サブシステム４７は、検知サブシステム９２から受け取られる情報から、色チャネルの強度１０３を決定する。図６の実施例において、Ｌ２サブシステム４７は、検知サブシステム９２から受け取られる情報から、赤い色チャネルの強度を決定する。方法状態１０４で、Ｌ２サブシステム４７は、色チャネル強度１０３を予め定められた色チャネル強度１０５と比較する。予め定められた色チャネル強度１０５は、例えば、製造でセットされるカラー・チャネル強度（ａ）でありえる。そして、ユーザー入力を経てユーザによって構成される（ｂ）、と、（ｃ）が白い位置制御サブシステム５９（後述する）またはそれの（ｆ）の組合せによって制御されて、光投射システム１０（例えば、主要作品の上映は関連する第１の色チャネル強度を有することができる、そして、主要作品間の広告の提出は第一未満の関連する第２の色チャネル強度を有することができる）（他の色チャネルの現在の強度に依る（ｄ））（ｅ）の現在の使用法によって決定した。
【００４７】
方法状態１０６で、Ｌ２サブシステム４７は、色チャネル強度１０３および予め定められた色チャネル強度１０５の違い１０７の絶対値が閾値量１０７より大きいかどうか決定する。この種の閾値量１０７は、光投射システム１０の必要条件によって、非常に少なくありえる（例えば非常に１％未満）。
【００４８】
答えが方法状態１０６の「いいえ」とみなされる場合、通常の色チャネル強度は推定される、そして、処理は継続的なモニタリングのための方法状態１０２に戻る。答えが方法状態１０６の「はい」とみなされる場合、Ｌ２サブシステム４７は色チャネル強度１０３が違い１０７に閾値量１０９の範囲内であらせるように調整されることができるかどうか方法状態１０８で決定する。例えば、レーザアレイ４４の個々のレーザー２６が消えていったかまたは消えていっている場合、対応する光源サブシステム４２によって発生するコヒーレント光４１が閾値量１０９より大きい量によって予め定められた色チャネル強度１０５以下にあってもよい。そして、失敗したか失敗しているレーザー２６のため、光源サブシステム４２によって出力される光４１の強度は、増加することが可能ではならない。従って、Ｌ２サブシステム４７が、決定することができる。色チャネル強度１０３がそうすることができない方法状態１０８で、違い１０７に閾値量１０９の範囲内であらせるために、増加する。後で詳しく述べるように、方法状態１０８の判定は、少なくとも一つには、Ｌｌサブシステム４９によって提供されるフィードバックから基礎を形成されることができる。しかしながら、Ｌｌサブシステム４９およびＬ２サブシステム４７は共存する必要はない、そして、本発明の若干の実施例はＬ２サブシステム４７およびその逆のないＬｌサブシステム４９を有する。同じことは白い位置制御サブシステム５９を申し込む。そして、後述する。
【００４９】
ケースにおいてどこで、方法状態１０８で決定する、Ｌ２サブシステム４７は、カラー・チャネル強度を、可能ならば、違い１０７を最小化するかまたは実質的に最小化する強度に合わせる。この場合、エラーは、ユーザに方法状態１１０で報告されることができるかまたは他の制御システム（例えば白い位置制御システム５９）に、下記を述べることができる、それは、修正処置をすることができる。この種の修正処置は当面は予め定められた色チャネル強度１０５をセットすることでありえる、そして、もう一方は低い強度にチャネルに色をつける。例えば、赤い色チャネル強度が閾値量１０９より大きい量によって予め定められた色チャネル強度１０５より少ない場合、そして、Ｌ２サブシステム４７が赤い色チャネル強度を増やすことができない場合、これのための予め定められた色チャネル強度１０５および、任意に、他のチャネルのうちの少なくとも１本は減少することができる。方法状態１１０の後、処理は、継続的なモニタリングのための方法状態１０２に戻る。
【００５０】
「はい」が方法状態１０８で決定されるケースにおいて、Ｌ２サブシステム４７が違い１０７が方法ステート１１２に出発点量１０９の範囲内であるためにカラー・チャネル強度１０３の調整に調整するかまたは指示すること。少しｈｉ実施例（サブシステム４２が個々のレーザー２６としての出力光度のそれらの最大の能力がある出力された、許している上方への調整が熟成するかまたは失敗するより（例えば９０％）より出力に製造で課されない光源）。方法状態１１２の後、処理は、継続的なモニタリングのための方法状態１０２に戻る。
【００５１】
図８は、立体的なイメージングを含んでいる本発明の実施例に、左の目および右側の眼の色チャネル強度をモニタして、調整すること間の、一致したＬ２サブシステム４７によって実行される方法２００である。立体的な突起の場合、分極化またはスペクトル違いが左の目とビューアのために投影される右の目画像を区別するために用いる所で、左右の目のための光度の認知可能な違いは容易に起こることができる。分極化−分離装置で、同じ光源が各々の目にあてられる画像のために使われるのであるにせよ、この強度差は結果としてなることがありえる。分極化構成要素を使用するときに光漏出の若干の不可避の量があるので、この強度差は生じられる。強度差が十分に大きい場合、注意をそらすものまたは不快感は画像の視聴者に起こることができる。
【００５２】
方法状態２０２で、Ｌ２サブシステム４７は、左の目光線カラー・チャネル強度２０１および右の目光線カラーが検知サブシステム９２から受け取られる情報から強度２０３を向けると決定する。この点に関しては、検知サブシステム９２またはＬ２サブシステム４７は、どの測定値が左の目光線か右側の目−光線に対応するかについてＬ２サブシステム４７に知らせるタイミング回路を有することができる。
【００５３】
方法状態２０４で、Ｌ２サブシステム４７は、左の目および右側の眼の色チャネル強度２０１、２０３を比較する。方法状態２０６で、Ｌ２サブシステム４７は、左の目および右側の眼の色チャネル強度２０１、２０３の違い２０７の絶対値が閾値量２０９より大きいかどうか決定する。
【００５４】
答えが方法状態２０６「少しも」あると考えられない場合、通常の色チャネル強度差は左の目および右の目光線の間で推定される、そして、処理は継続的なモニタリングのための方法状態２０２に戻る。答えが方法状態２０６の「はい」とみなされる場合、Ｌ２サブシステム４７は左の眼の色チャネル強度２０１か右側の眼の色チャネル強度２０３が違い２０７に閾値量２０９の範囲内であらせるために増加することができるかどうか方法状態２０８で決定する。従って、方法状態２０８のこれらの実施例が強度違いを準備するために強度を増やすことに選択を貸すことが分かる。しかしながら、本発明はこの種の選択に限られていない、そして、減少している強度は好まれることができる。
【００５５】
より小さい強度を有する光線（左または右の）が増加することができない場合、「いいえ」は方法状態２０８で正しいと考えられる。この場合、光度−修正サブシステム２３は画像形成サブシステム１１または、より詳しくは、画像形成サブシステム１１の対応する光源サブシステム４２を制御する。そして、方法状態２１０（より大きな強度を有したものはどれでも）で左の眼の色チャネル強度２０１または右側の眼の色チャネル強度２０３を減らす。方法状態２１０の後、処理は、継続的なモニタリングのための方法状態２０２に戻る。
【００５６】
より小さい強度を有する光線（左または右の）が増加することができる場合、「はい」は方法状態２０８で正しいと考えられる。この場合、光度−修正サブシステム２３は画像形成サブシステム１１または、より詳しくは、画像形成サブシステム１１の対応する光源サブシステム４２を制御する。そして、方法状態２１２（より小さい強度を有したものはどれでも）で左の眼の色チャネル強度２０１または右側の眼の色チャネル強度２０３を増やす。方法状態２１２の後、処理は、継続的なモニタリングのための方法状態２０２に戻る。
【００５７】
図８が左の眼の色チャネル強度２０１か右側の眼の色チャネル強度２０３が違い２０７を減らすために増減される実施例を例示するにもかかわらず、本発明は非常に制限されない。当業者は色チャネル強度（左または右の）のうちの１つが増加することができると従来技術において認める、そして、その他は違い２０７を減らすために減少した。
【００５８】
本発明の実施例によれば、図９および１０は、インテグレータ５１の側５６にある少なくとも一つの光度センサ９１を有するサブシステム９２を検出している光度を含む光度−修正サブシステム２３を例示する。側５６は、画像経路２１またはインテグレータ５１の光軸と比較的平行して、方向で動作する。インテグレータ５１の側が画像経路２１の方へまたはから離れて漸減することができるのを記憶している。
【００５９】
図９および１０に基づく実施例において、検知サブシステム９２は、画像経路２１に沿ってインテグレータ５１から漏らされる光から光度をモニタするために配置される。この点に関しては、画像形成サブシステム１１で、図９および１０は、光度センサが光を受信して、測定するべき位置においてある実施例が光学部品から、この場合、インテグレータ５１を漏らしたことを示す。インテグレータ５１からの測定漏らされた光の場合、強度および分極化において実質的に均一である光をモニタすることは、望ましくありえる。したがって、必要でないにもかかわらず、それは検知サブシステム９２（またはその中のセンサ）をインテグレータ５１による光手続きがインテグレータ５１の下流側部分に実質的に、例えば、均一化された一部のインテグレータ５１に配置するのを好まれることができる。
【００６０】
図１０は、インテグレータ５１が側５６上のセンサ９１の下に半透明のカバー５３を有する実施例である。１台のセンサ９１だけが図１０に示されるにもかかわらず、付加的なセンサが用いられることができる。半透明のカバー５３は、インテグレータ５１をくるまれることができて、インテグレータ５１が行われる材料より低い屈折率を有する。この種の屈折率差によって、半透明のカバー５３がインテグレータ５１内部で全反射を改良して、従って、均一化を改良することができる。インテグレータ５１上の表層欠点は、しかしながら、インテグレータ５１の側を出て、センサ９１によって測定のための半透明のカバー５３を通過するために、まだ少ない数レベルの漏出光を出力する。光漏出が半透明のカバー５３を通過するときに、それは更に拡散される。そして、測定のためのセンサ９１にさらにより同一である光を出力する。
【００６１】
図９および１０の実施例は図７および８の手順を使用することを操作することができる。但し、次の場合は除く−色チャネル強度１０３、２０１、２０３はインテグレータ５１から漏出光から決定される。較正手順は、センサ９１の位置に存在する漏出光の量を決定するために用いることができる。
【００６２】
図１１は、明るいダンプ経路１９にあるサブシステム９２を検出している光度を含む光度−修正サブシステム２３である。検知サブシステム９２が画像経路２１に干渉しなくて、その代わりにさもないと無駄になるかもしれない光の強度を測定することができるので、この種の装置は有益でありえる。これらの実施例では、図７および８の手順がＬ２サブシステム４７によって使われることができる。但し、次の場合は除く−色チャネル強度１０３、２０１、２０３は明るいダンプ経路１９に入っている光から決定される。この点に関しては、較正位置または若干の他の周知の位置で、検知サブシステム９２は、空間光変調器６０が全ての光を明るいダンプ経路１９にあてる完全に外れた位置に周知の位置に、例えば、ある期間の間に、強度を計量する。
【００６３】
この点に関しては、図１１の実施例だけでなく、本発明の実施例のいずれについてかも、特定の強度測定期間は、光投射システム１０のために発生することができる。例えば、この種の測定期間は、起こることができる（ａ）の間、または同時に画像形成システム１１の製造の完成によって、（ｂ）の間、またはパワーをオンにすることによって始められるかまたは画像形成システム１１（ちょうど投射システム１３を有するビデオを映写することより前の（ｃ））（ｄ）の中で再起動している最初の手順によって同時にシャッタ６５が閉であるか、またはそれの組合せである。若干の立体的な光投射システム１０に関して、左右の目光線間の一部の消している期間は、強度測定期間として利用されることができる。
【００６４】
本発明の若干の実施例によれば、図１２および１３は、色チャネル輝度調節サブシステム４７、白い位置制御サブシステム５９（また、「Ｌ３サブシステムと称する）または両方とも含む光度−修正サブシステム２３を例示する。これらの実施例では、光度−修正サブシステム２３も、シャッタ６５にある少なくとも一つの光度センサ９１を有するサブシステム９２を検出している光度を含む。検知サブシステム９２が二色性のコンバイナ１７の下流に位置して、従って、色チャネルの全ての強度を計量するべき位置においてある点に留意する必要がある。この装置は、各々の色チャネルのための別々の検知サブシステム９２の必要を除去する。従って、個々の色チャネル強度は、白い位置（全ては、同時にチャネルに色をつける）と同様に計量されることができて、制御されることができる。個々の色チャネル強度は、モニタされることができて、図７および８の方法を使用している色チャネル輝度調節サブシステム４７によって制御されることができる。白い位置は測定されることができて、白い位置制御サブシステム（Ｌ３サブシステム）によって図１４の方法を用いて５９を制御した。そして、後述した。示すように図１３の実施例のために、シャッタ６５は、画像経路２１から離れた開位置６８にまたはモーター６６および機械的アーム６９による画像経路２１の閉鎖位置６７に入れられることができる。当業者は、しかしながら、本発明が画像経路２１との間でシャッタ６５を動かすことのいかなる特定の技術にも限られていないと認める。シャッタ６５が閉鎖位置６７においてあるときに、光度センサ９１は測定値のための画像経路２１に入れられる。１台のセンサ９１だけが図１３に示されるにもかかわらず、多数のセンサが用いられることができる。シャッタ６５が開位置６８においてあるときに、センサ９１は画像経路２１の外にある。それに対する相似デザインが、図１３に示されて、図６に基づいて実施例のために使われることができる。
【００６５】
シャッタ６５が閉鎖位置においてあるときに、画像形成システム１１（図１）は投影サブシステム１３に光を出力するのを防止される。他の内容がスクリーン８０に示されると共に、シャッタ６５の閉鎖はプロジェクタがその動作を維持することができるために商業的な映画館プロジェクタにおいて共通にされる。この閉鎖位置において、光源サブシステム４２ｒ（４２ｇ）のうちの１つだけが４２ｂ時間に進行中である間、図７および８の方法はＬ２サブシステム４７によって実行されることができる。特に、各々の光源サブシステム４２ｒ（４２ｇ）は４２ｂ、一つずつ、例えば、完全に進行中で、循環されることができる。その一方で、他の色チャネルは離れている。その結果、各々の色チャネルの強度は計量されることができて、必要に応じて、調整されることができる。
【００６６】
また、シャッタ６５が閉鎖位置においてある間、モニタしている白い位置および図１４に示される制御プロセス３００は白い位置制御サブシステム５９によって実行されることができる。方法状態３０２で、白．３０３は、全てのカラー・チャネルが同時に中にある検知サブシステム９２によって受け取られる強度測定から決定される上の、例えば、完全に進行中で状態である。方法状態３０４で、白．３０３は、予め定められた白．３０５と比較される。予め定められた白．３０５は、例えば、製造でセットされる白い位置（ａ）でありえる。そして、ユーザー入力を経てユーザによって構成される（ｂ）（ｃ）が光投射システム１０（例えば、主要作品の上映は付随する第１の白い小数点を有することができる、そして、主要作品間の広告の提出は第一未満の付随する第２の白い小数点を有することができる）の現在の使用法によって決定した、それについて、光源サブシステム４２ｒ、４２ｇ、４２ｂ（例えば、熟成しているかまたは失敗しているレーザー２６は白い位置強度能力に衝撃を与える。そして、そのことは図７の方法状態１０８および１１０に関して討議した）または（ｄ）組合せ能力を示す。
【００６７】
（ｄ）方法状態３０６で、Ｌ３サブシステム５９は、白．３０３および予め定められた白．３０５の違い３０７の絶対値が閾値量３０７より大きいかどうか決定する。答えが方法状態３０６の「いいえ」とみなされる場合、通常の白い位置は推定される、そして、処理は継続的なモニタリングのための方法状態３０２に戻る。あるいは、シャッタ６５は開けられることができる、または、他の措置がとられる。答えが方法状態３０６の「はい」とみなされる場合、Ｌ２サブシステム４７は差３０７が色チャネルの一つ以上の強度を増やすことによって閾値量３０９の範囲内で減少されることができるかどうか方法状態３０８で決定する。例えば、問題の光源サブシステム４２は、その最大光度を生み出していることができるが、もう一方がチャネル（図７の状態１０８および１１０について述べたように、上記）に色をつけるより少ない光度を生み出していることができる。従って、違い３０７は、閾値量３０９より大きくてもよい。この問題の光源サブシステム４２がすでに最大強度を生み出しているので、その色チャネル強度は違い３０７を閾値量３０９の範囲内で下げるために増加することができない。この場合、「いいえ」は、方法状態３０８でＬ３サブシステム５９で測定される。方法状態３０８の分析が色チャネル強度を正しい白い位置課題に増やすためにバイアスを反映することが分かる。しかしながら、当業者は、この種のバイアスが必要でないと認める。
【００６８】
方法状態３０８で決定する、一つ以上の色の強度は、強度を向けるあるまたは方法状態３１０で出発点量３０９の範囲内で違い３０７をもたらすために減らす。Ｌ３サブシステム５９およびＬ２サブシステム４７がある実施例において、図７に示すように、方法状態３１０のＬ３サブシステム５９は、一つ以上の色チャネルのための予め定められた色チャネル強度１０５を降ろすことができる。
【００６９】
「はい」が方法状態３０８で決定される、一つ以上の色は、強度を向けるあるまたは方法状態３１２で出発点量の範囲内で違い３０８をもたらすために増やす。Ｌ３サブシステム５９およびＬ２サブシステム４７がある実施例において、図７に示すように、方法状態３１０のＬ３サブシステム５９は、一つ以上の色チャネルのための予め定められた色チャネル強度１０５を増やすことができる。方法状態３１０または３１２の終結に、処理は、継続的なモニタリングのための方法状態３０２に戻る。あるいは、シャッタ６５は開けられることができる、または、他の措置がとられる。
【００７０】
図１５は、各々のカラー・チャネルがカラー・チャネル輝度調節のためのそれ自身の検知サブシステム９２を有する、そして、センサが必ずしも、白い位置の中で直接的に検出するための二色性のコンバイナ１７の下流にあるというわけではない実施例のための白い位置測定および制御である。特に、図１５は、各々の色チャネルが光度調節サブシステム２３ｒ、２３ｇ、色チャネル制御（それぞれのカラー・チャネル輝度調節サブシステム４７ｒ、４７ｇ、４７ｂを経て）のための２３ｂ（図６、９および１１のケースのように）のそれ自身の部分を有するのを表示する。ｈｉ追加（図）。１５は光度修正サブシステム２３の付加的な部分を例示する。そして、白い位置を含む白い位置のための５９が制御するサブシステム（Ｌ３サブシステム）を制御する。方法状態３０２を実行するときに、Ｌ３サブシステム５９は図１４の方法を実行して、光度修正サブシステムの２３ｂ、各々の部分２３ｒ（２３ｇ）から個々の色−チャネル強度測定値を受け取る。
【００７１】
上記に言及したので、本発明の若干の実施例はさまざまな輝度調節サブシステムの中に階層構造を含む。図１５の場合、Ｌ３サブシステム５９は、それらのそれぞれの現在の出力強度レベルに関しては、Ｌ２サブシステム４７ｒ、４７ｇ、４７ｂから情報を受け取る。Ｌ３サブシステム５９は、図１４の手順につき適当なホワイトバランスについて調べるために、この情報を使用する。調整が色チャネルのうちの１本の強度になされることを必要とする場合、Ｌ３サブシステム５９が、Ｌ２サブシステム４７ｒの一つ以上に指示する４７ｇ、その予め定められた色を変える４７ｂは、したがって、強度１０５を向ける。Ｌ２サブシステム４７ｒ、４７ｇまたは４７ｂがその予め定められた色チャネル強度１０５を満たすことができない場合、Ｌ２サブシステムはこの状態をＬ３サブシステム５９に報告することができる。本発明の若干の実施例によれば、類似した階層構造が、Ｌ２サブシステム４７およびＬｌサブシステム４９の間に存在することができる。これらの場合、Ｌ２サブシステム４７は、Ｌｌサブシステム４９にそのレーザー２６の出力強度を変えるように指示することができる。Ｌｌサブシステム４９がそうすることができない場合、それはこの種の状態をその対応するＬ２サブシステム４７に報告することができる。この点に関しては、図１６は、制御ループＬｌ、Ｌ２、全３レベルの輝度調節（ｌｌ−レーザー、Ｌ２−カラー・チャネル、Ｌ３白い位置）がある本発明の実施例のＬ３の階層を例示する。上述したように、本発明の若干の実施例は、全３レベル（例えば１レベル（例えばＬｌだけを有する図２−４の実施例）だけを有する実施例または２レベル（例えば、ＬｌおよびＬ２だけを有する図６、９、１１の実施例）だけを有する実施例）を有しない。図１６に示すように、Ｌｌサブシステム４９からのフィードバックは色チャネル輝度調節のためのＬ２サブシステム４７に提供される、そして、Ｌ２サブシステム４７からのフィードバックは白い位置制御のためのＬ３サブシステム５９に提供される。この説明のより初期に別に記載されているにつれて、Ｌｌサブシステム４９は制御付随するレーザドライバ９４によって各々のレーザー２６の出力強度をモニタして、制御する。Ｌ２サブシステム４７は、現在の出力強度レベルに関してはＬｌサブシステム４９から情報を受け取って、対応するレーザー能力を出力した。それぞれ、図７、８または両方ともの手順につき、Ｌ２サブシステム４７は、適当な色チャネル出力強度、左の目／右のアイ出力強度バランスまたは両方ともについて調べるために、この情報を使用する。調整が光源サブシステム４２のレーザーの強度になされることを必要とする場合、Ｌ２サブシステム４７はＬｌサブシステム４９にしたがって、そのレーザーの一つ以上の強度出力を変えるように指示する。Ｌ２サブシステム４７にＬｌサブシステム４９によって提供されることができるいくつかの情報は、Ｌｌサブシステム４９が、例えば、それぞれ、図７および８の方法状態１０８  ２０８の質問につき、Ｌ２サブシステム４７によって指示されるレーザー出力レベルを得るかまたは維持することが可能か否か、のバイナリの徴候を含むことができる。他の情報は、それにつ���て温度、経過されたレーザー動作時間または組合せを作動しているレーザーを操作している電流、レーザー作動電圧、レーザー入力電力、レーザー出力力、レーザーおよびドライバを含むことができる。必要なときに、Ｌｌサブシステム４９からＬ２サブシステム４７まで提供される情報を促すことがＬ２サブシステム４７によって始められることができて、Ｌ３サブシステム５９によって、所定の時間またはそれの組合せの満期によって、ユーザ要請によって、必要なものである。
【００７２】
Ｌ２サブシステム４７および図１６のＬ３サブシステム５９の間の相互作用は、図１５に関して上記の通りである。色チャネルの出力強度が増加することができない。その結果、図１４の方法状態３０８の質問に従って、Ｌ２サブシステムはこの事実をＬ３サブシステム５９に報告する。
【００７３】
Ｌ３が本発明の若干の実施例において相互に関係づけられることは、見られた非常に制御ループＬｌ（Ｌ２）でありえる。状況および他の制御の規制が階層において環状にするこれらの制御ループ影響のうちの１つの範囲内の調整。例えば、カラー・チャネル制御強度制御ループＬ２を使用している赤い色チャネル出力強度の制御は、各々の赤いレーザドライバ９４のためのレーザー強度制御ループＬｌだけでなく、白い位置制御ループＬ３にも影響を及ぼすことができる。この相互関係は、制御ループの中で構成要素の状態に、補償の程度を見込む。例えば、例えば古くなった部品を補償するために力を高めるために、色チャネルの特定のレーザーの弱いパフォーマンスは、同じ色チャネルの他のレーザーに印加される電流に影響を及ぼすことができる。同様に、白い位置制御ループＬ３は、より弱い色チャネルを、前述したように、所望の白い位置を保存するために他の色チャネルの出力を減らすことで補償することができる。
【００７４】
本発明の若干の実施例によれば、図１７は、単一のレーザー２６を制御する一部のＬｌサブシステム４９の簡略化されたハードウェア実現例を例示する。しかしながら、当業者は、この設計が複数のレーザー２６を制御するために延長されることができると認める。図１７において、レーザダイオード１５５は、レーザー２６を表すとして示される。しかしながら、レーザアレイ４４は、多数のレーザビームを生成するために、共通に単一のレーザダイオード１５５を使用する。明確にするため、しかしながら、図１７は、レーザダイオード１５５を制御すると評される。
【００７５】
レーザダイオード１５５による電流は、制御信号１５８の関数として、レーザー電流供給源１５２によって印加される。電流源１５２は、レーザドライバ９４の一部であって、電圧制御電流源、直接のアナログの現在のフィードバックおよび内部アナログ制御ループを有する電圧制御電圧源または内部デジタル制御ループおよび間接的な現在のフィードバックによって提供されるデジタル制御を有する電圧制御電圧源でありえる。数学的構造物が一つ以上のバイナリの信号を経て制御電圧（制御信号１５８において）が存在するどの方法を電流源１５２に届けたか、電流源１５２は、現在の出力を生じるために、適当なアンプおよび回路を有するデジタル−アナログ・コンバータから成ることができる。電流源１５２は、あるいは、制御信号１５８の値電圧に対する直接の反応の現在の出力を生じるために、アナログおよびデジタル回路から成ることができる。
【００７６】
写真ダイオード１５６は、この光の強度を決定するためにレーザダイオード１５５によって発される光のサンプルをとる。写真ダイオード１５６を流れる電流は、トランス・インピーダンス（電圧に対する電流）アンプ１５３への入力を提供する。アンプ１５３の出力は、写真ダイオード１５６によってサンプルをとられる光（強度）の力と比例している電圧１５９である。和装置１５４は、設定された電圧１５７およびアンプ１５３から出力される電圧１５９の違いに等しい誤差電圧１６０を提供する。この点に関しては、設定された電圧１５７は、予め定められたレーザー光度として作用する。設定された電圧１５７は、若干の実施例において、Ｌ２サブシステム４７から受け取られる指示に由来する。誤差電圧１６０の絶対値が予め定められた閾値量より大きい場合、制御およびＰＩＤ／ＰＷＭ計算回路１５１によって定まる、制御信号１５８は閾値量の範囲内でこの種の違いをもたらす方法で調整される。ＰＩＤ／ＰＷＭ計算回路１５１は、よりＰｒｏｐｏｒｔｉｏｎａｌ  Ｉｎｔｅｇｒａｌ  Ｄｅｒｉｖａｔｉｖｅ  Ｃｏｎｔｒｏｌｌｅｒ／Ｐｕｌｓｅ  Ｗｉｄｔｈ  Ｍｏｄｕｌａｔｉｏｎ計算回路１５１と称され精巧に、従来技術において周知である。
【００７７】
和装置１５４、誤差電圧１６０および設定された電圧１５７は、慎重な物理的エンティティとしてまたは制御およびＰＩＤ／ＰＷＭ計算回路１５１のデジタル・バージョンの範囲内の数学的構造物として存在することができる。行っている実施例によって、制御およびＰＩＤ／ＰＷＭ計算回路１５１は、Ｌ２サブシステム４７から制御データ（例えば力または強度出力制御ユニット・データ）を受け取ることができて、電力制御／ステータスバス１６２を経て、状況をＬ２サブシステム４７に報告することができる。例えば、他の色チャネルからのレーザーが最大生産高（図７の方法状態１１０および図１４の３１０につき）であるときに、制御およびＰＩＤ／ＰＷＭ計算回路１５１は電力制御／ステータスバス１６２を経て力をレーザーに下げるように指示されることができる。また、ＰＩＤ／ＰＷＭ計算回路１５１は、電力制御／ステータスバス１６２を経て出力される要請された（予め定められた）レーザーに達することの不履行をＬ２サブシステム４７に報告することができる。立体的な実施例において、左の／右側の信号１６１が、制御ループ階層の上方レベルから出力されて、左右の画像データとの同期において出力されるレーザー１５５の強度を変えるために制御信号１５８を変更するために、回路１５１によって使われる。
【００７８】
本発明の若干の実施例によれば、図１８は、Ｌ２サブシステム４７のハードウェア実現を例示する。制御および色のためのＰＩＤ／ＰＷＭ計算回路１７１は、４７がモニタする輝度調節サブシステム（Ｌ２）および規制を向ける図１８のレーザー−輝度調節サブシステム４９の範囲内で示される単色のレーザーの全ての配列１７２の中で挙動である。これらの実施例では、計算回路１７１は、命令データがレーザー制御ループ１５０に通過する、そして、状態データがレーザー制御ループ１５０から通過する各々のレーザ制御回路ループ１５０間の単一の通信チャネルとして作用する。
【００７９】
図１８に基づくいくつかの実施例において、光度センサ９１（例えば写真ダイオード）は、色チャネル強度出力をレーザー１７２の配列で測定する。光度センサ９１は、図６、図９、図１０、図１１、図１２または図１３に示される光度を検出しているサブシステム９２によって表される場所を有することができる。センサ９１によって発生する電圧は、色チャネルの現在の強度を代表する信号Ｖパワー１７６を生成するために、トランスインピーダンス増幅器１８０に通過する。Ｖパワー１７６は和装置１７３に通過する。そして、それはＶパワー１７６を設定された電圧１７５と比較して、誤差電圧１７４を生成する。この点に関しては、Ｖパワー１７６は図７の色チャネル強度１０３に対応することができる、設定された電圧１７５は図７の予め定められた色チャネル強度１０５に対応することができる、そして、誤差電圧１７４は図７の違い１０７に対応することができる。設定された電圧１７５は、若干の実施例において、電力制御／ステータスバス１７８を経てＬ３サブシステム５９から受け取られる指示に由来する。誤差電圧１７４の絶対値が予め定められた閾値量（例えば図７の閾値量１０９）より大きい場合、制御およびＰＩＤ／ＰＷＭ計算回路１７１によって定まる、制御ループ１５０の一つ以上は計算回路１７１によってしたがって、電力制御／ステータスバス１６２（図７の方法状態１１２参照）を経てそれらのレーザー光度を調整するように指示される。レーザー光度が予め定められた閾値量の範囲内で誤差電圧１７４を減らすように調整されることができない場合、若干の実施例（図７の方法状態１１０がわかる）によれば、エラー報告は電力制御／ステータスバス１７８を経てＬ３サブシステム５９に送信されることができる。立体的な実施例において、左の／右側の信号１７７が、それが現在左の目光線か右の目光線のための測定で制御色チャネル強度であるかどうか決定するために、計算回路１７１によって使われる。これらの例において、図８の方法が、用いられることができる。
【００８０】
図１８が色チャネル強度１７６がセンサ９１に由来することを示すにもかかわらず、若干の実施例が電力制御／ステータスバス１６２を経て計算回路１７１に提供されるレーザー−出力強度の総数から発生する色チャネル強度１７６を有する点に留意する必要がある。換言すれば、例えば色チャネル強度測定（例えばそれ図６、９、１１および１２に示される）のための別々の検知システム９２を使用することの代わりに、色チャネル強度は、電力制御／ステータスバス１６２を経て計算回路１７１に個々のレーザ制御回路ループ１５０によって提供される情報から計量されることができる。
【００８１】
一方では、図１８のセンサ９１は他の色チャネル（例えばそれ図１２および１３に示される）によって共有されることができる。ここで、センサ９１は二色性のコンバイナ１７の下流に位置する。これらの実施例では、各々の色チャネルはそれ自身のセンサ９１を有しない。そして、図１８、しかし、その代わりに株式単一のセンサまたは検知システムに示される。
【００８２】
本発明の若干の実施例によれば、図１９は、Ｌ３サブシステム５９のハードウェア実現を例示する。制御および白い位置のためのＰＩＤ／ＰＷＭ計算回路１９１は５９がモニタするサブシステム（Ｌ３）および規制を制御する。そして、各々の反応はカラー・チャネル輝度調節サブシステム（Ｌ２）のチャネル制御ループ１７０を４７に塗る。これらの実施例では、計算回路１９１は、命令データが色チャネル制御ループ１７０に通過する、そして、状態データが色チャネル制御ループ１５０から通過する各々の色チャネル制御ループ１７０間の単一の通信チャネルとして作用する。
【００８３】
図１９に基づくいくつかの実施例において、光度センサ９１（例えば写真ダイオード）は、画像形成システム１１の白い位置を測定することを示す。この点に関しては、光度センサ９１は、図１２および１３に示される光度を検出しているサブシステム９２によって表される場所においてありえる。図１９が白．１９６がセンサ９１に由来することを示すにもかかわらず、しかしながら、若干の実施例が電力制御／ステータスバス１７８を経て計算回路１９１に提供されるカラー・チャネル出力強度の総数から発生するカラー・チャネル強度１９６を有して。ｈｉ他の、白い位置測定のための別々の検知システム９２を使用することの代わりに、語、白い位置は、電力制御／ステータスバス１７８を経て計算回路１９１に個々のレーザ制御回路ループ１７０によって提供される情報から測定されることができる。この種の装置は図１５に対応する、そして、別々のセンサ９１は図１９において提供されない。
【００８４】
一方では、図１８のセンサ９１は色チャネル輝度調節サブシステム４７（例えばそれ図１２および１３に示される）によって共有されることができる。ここで、センサ９１は二色性のコンバイナ１７の下流に位置する。これらの実施例では、各々の色チャネルは、それ自身のセンサ９１を有しなくて、その代わりに、白い位置と同様に個々の色チャネル強度を計量する単一のセンサまたは検知システムを共有する。
【００８５】
図１９の詳細に一旦戻って、センサ９１によって発生する電圧は、白い位置の現在の強度を代表する信号Ｖパワー１９６を生成するために、トランスインピーダンス増幅器１９０に通過する。Ｖパワー１９６は和装置１９３に通過する。そして、それはＶパワー１９６を設定された電圧１９５と比較して、誤差電圧１９４を生成する。この点に関しては、Ｖパワー１９６は図１４の白．３０３に対応することができる、設定された電圧１９５は図１４の予め定められた白．３０５に対応することができる、そして、誤差電圧１９４は図１４の違い３０７に対応することができる。誤差電圧１９４の絶対値が予め定められた閾値量（例えば図１４の閾値量３０９）より大きい場合、制御およびＰＩＤ／ＰＷＭ計算回路１９１によって定まる、制御ループ１７０の一つ以上は計算回路１９１によってしたがって、電力制御／ステータスバス１７８（図１４の方法状態３１０、３１２参照）を経てそれらの色チャネル強度を調整するように指示される。立体的な実施例において、左の／右側の信号１７７が、それが現在左の目光線か右の目光線の測定で制御白い位置であるかどうか決定するために、計算回路１９１によって使われることができる。これらの例において、図８のそれらに類似した方法が用いられることができる。但し、次の場合は除く−白い位置は測定されて、別に左の目光線および右の目光線のために制御される。
【００８６】
図２０は、各々のレベルＬｌ、Ｌ２、制御階層のＬ３の相対的なサンプリング周波数である。本発明の実施例において、制御ループＬｌ、Ｌ２およびＬ３は異なる率で作動する。その結果、それらは各々に干渉しなくて、所望の白い位置および左の目（右の目バランス）を維持するために協同する。各々のループの速度は、反応が充分な投影品質を維持するためにどれくらい急速に必要かについて変化する。
【００８７】
レーザー制御ループＬｌは、適当な出力レベルを各々のレーザーに維持するために、比較的高速度で作動する。実施例において、レーザー制御ループＬｌは、ほぼ５０ｋＨｚからほぼ２００ｋＨｚまで作動する。カラー・チャネル制御ループＬ２は、フレーム・リフレッシュ・レートより上に、より同じ色の全てのレーザーの出力を制御するためのゆっくり、しかし、よく作動する。実施例において、カラー・チャネル制御ループＬ２は、ＩｋＨｚについてから約１０ｋＨｚまで作動する。白い位置制御ループＬ３は、フレーム・リフレッシュ・レート以下でよく速度で作動する。実施例において、白い位置制御ループＬ３は、約１〜２サイクル毎秒でまたはよりゆっくり作動する。
【００８８】
図２１は、本発明の具体例を実装するために用いることができる１つの特定の回路レイアウトである。この実施例は、照明サブシステム・コントローラ１３０に存在するＬ２およびＬ３制御ループを有する立体的な実施例である。ｌｌサブシステム制御は、特に示されない。
【００８９】
図２１において、動力分配回路１１０はソース力を各々の色チャネルのレーザドライバに提供する。そして、レーザドライバ１２０ｒ、１２０ｇおよび１２０ｂとして示される。本実施例において、各々のレーザドライバは、６つか、１２か、１８か、２４のレーザーのバンクを制御する。対応する光度センサ１１２ｒ、１１２ｇ、１１２ｂが各々の色チャネルにある。そして、フォトダイオードとして示される。コントローラ１３０は、検出状況に基づいて同期およびレーザー流および作動の規制を提供して、適切なカラーバランスまたは白い位置を成し遂げるために、一つ以上の色チャネルに任意に補正信号を出力する。コントローラ１３０は、指示（例えば最初の工場較正でカラーバランスまたは白い位置およびセットを上へ得るためのプログラム学習または調節しているカラーバランスまたは白い位置のためのオペレータによってインタラクティブに始まる指示）に応答する。回路１４０を条件づけているモーター・ドライバおよび信号は、ステレオ・セパレータ１３４ｒ、１３４ｇ、各々の色チャネルのための１３４ｂとして作用するシャッタ・ディスクの動作のために必要とされる論理制御および同期化信号を出力する。
【符号の説明】
【００９０】
部品のリスト
１０．  光投射システム
１１．  イメージを形成するサブシステム
１３．  投射サブシステム
１５．  イメージを形成するサブシステムからの光の出力
１７．  二色性のコンバイナー
１９．  光変調サブシステムの光のダンプ経路
２１．  イメージの経路
２２．  光変調サブシステムのためのビームのダンプ
２３．  光の強度の補正システム
２６．  レーザー
３１．  光を向けなおすプリズム
４０ｒ，４０ｇ，４０ｂ  光変調チャネル
４１．  光源サブシステムによって発生させられたコヒーレント光
４２．  光源サブシステム
４４，４４’．  固体状態のレーザーアレイ
４４ａ，４４ｂ．  偏光させられたレーザーアレイのバンク
４５’４５ｒ，４５ｇ，４５ｂ．  照明コンバイナー
４６  ミラー
４７．  カラーチャネル強度コントロールサブシステム
４９．  レーザーの光強度コントロールサブシステム
５０．  レンズ
５１．  インテグレーター
５２．  ライトガイド
５３．  半透明のカバー
５４．  レンズ
５５．  インテグレーターの下流の出口の表面
５６．  インテグレーターの側面
５７．  左の目の光ビーム
５８．  右の目の光ビーム
５９．  白色点コントロールサブシステム
６０．  光変調サブシステム
６２．  偏光ビームスプリッター
６４．  半波長板
６５．  シャッター
６６．  シャッターのモーター
６７．  イメージの経路におけるシャッター
６８．  イメージの経路から取り除かれたシャッター
６９．  機械的なアーム
７０．  投射光学部品
７１．  回転するシャッター
７１ａ．  回転するシャッターの透過性のセグメント
７１ｂ．  回転するシャッターの反射性のセグメント
７１ｃ．  回転するシャッターの遷移領域
７２．  回転するシャッターのモーター
７３．  光源サブシステムにおけるビームダンプ
７４．  回転するシャッターのコントロール回路要素
７５．  光
７６．  光源サブシステムの光のダンプ経路
８０．  ディスプレイの表面
９１．  光の強度のセンサー
９２．  光の強度を検知するサブシステム
９３．  個々のレーザー光の強度のセンサー
９４．  レーザードライバー
１００．  方法
１０２，１０４，１０６，１０８，１１０，１１２．  方法の状態
１０３．  カラーチャネル強度
１０５．  予め決定されたカラーチャネル強度
１０７．  差異
１０９．  閾値の量
１１０．  パワー分配回路要素
１１２ｒ，１１２ｇ，１１２ｂ．  センサー
１２０ｒ，１２０ｇ，１２０ｂ．  レーザードライバー
１３０．  コントローラー
１３４ｒ，１３４ｇ，１３４ｂ．  ステレオセパレーター
１４０．  モータードライバー及び信号を条件付けする回路要素
１５０．  レーザーコントロールループ
１５１．  コントロール及びＰＩＤ／ＰＷＭ計算回路要素
１５２．  電流源
１５３．  増幅器
１５４．  加算デバイス
１５５．  レーザーダイオード
１５６．  フォトダイオード
１５７．  設定された電圧
１５８．  コントロール信号
１５９．  電圧の出力
１６０．  誤差電圧
１６１．  左／右の信号
１６２．  パワーのコントロール／ステータスバス
１７０．  カラーチャネルコントロールループ
１７１．  コントロール及びＰＩＤ／ＰＷＭ計算回路要素
１７２．  レーザーのアレイ
１７６．  Ｖパワー
１７７．  左／右の信号
１７８．  パワーコントロール／ステータスバス
１８０．  トランスインピーダンス増幅器
１９１．  コントロール及びＰＩＤ／ＰＷＭ計算回路要素
２００．  方法
２０１．  左の目の光ビームのカラーチャネル強度
２０２，２０４，２０６，２０８，２１０，２１２．  方法の状態
２０３．  右の目の光ビームのカラーチャネル強度
２０７．  差異
２０９．  閾値の量
３００．  方法
３０２，３０４，３０６，３０８，３１０，３１２．  方法の状態
３０３．  白色点
３０５．  予め決定された白色点
３０７．  差異
３０９．  閾値の量
クレーム：
１．  光投射システムであって、
最も少ないときで光の複数の異なるカラーチャネルを出力するために構成されたイメージを形成するサブシステム、前記イメージを形成するサブシステムが各々が最も少ないときで前記イメージを形成するサブシステムによって出力された前記複数のカラーチャネルの単一のカラーチャネルを発生させるために構成された複数の光源サブシステムを具備すること、各々の光源サブシステムが複数のレーザーを具備すること；並びに、
最も少ないときで
各々の光源サブシステムにおける個々のレーザーによって出力されたレーザー光の強度を決定する、
対応する決定されたレーザーの光強度の絶対値が第一の閾値の量だけ予め決定されたレーザーの光強度から外れるとすれば個々のレーザーの光強度を変化させるために各々の光源サブシステムをコントロールする；
前記複数のカラーチャネルの各々についてカラーチャネル強度を決定する；
対応する決定されたカラーチャネル強度の絶対値が第二の閾値の量だけ予め決定されたカラーチャネル強度から外れるとすればそれのものから出力された光強度を変化するために各々の光源サブシステムをコントロールする；
前記複数のカラーチャネルの白色点を決定する；及び、
前記決定された白色点の絶対値が第三の閾値の量だけ予め決定された白色点から外れるとすれば前記複数のカラーチャネルの一つのもの又はより多いものの強度を変化させるために前記光源サブシステムをコントロールする
：ために構成された光の強度の補正サブシステム
：を具備する、システム。
【００９１】
２．  クレーム１のシステムにおいて、
それにおいて、各々の光源サブシステムにおける前記複数のレーザーは、最大のレーザーの光強度と比べてより少ないものを出力する、システム。
【００９２】
３．  クレーム１のシステムであって、
さらに、
最も少ないときでイメージを投射するために構成された投射サブシステム、
：を具備すると共に、
それにおいて、前記イメージを形成するサブシステムは、さらに、
各々が最も少ないときでイメージデータと整合する様式で前記複数の異なるカラーチャネルの一つのものと相互作用するために構成された複数の光変調サブシステム
：を具備すると共に、
それにおいて、前記光変調サブシステムは、各々が、前記イメージデータと整合する様式で光のダンプ経路又はイメージの経路のいずれかを追跡するためにそれのカラーチャネルを引き起こすと共に、
それにおいて、前記光のダンプ経路は、前記投射サブシステムに至るものではないものであると共に、前記イメージの経路は、前記投射サブシステムに至るものではないものである、
システム。
【００９３】
４．  クレーム３のシステムにおいて、
それにおいて、前記多重のカラーチャネルの各々は、別個の光のダンプ経路を有すると共に、
それにおいて、前記光の強度の補正サブシステムは、各々の光のダンプ経路における光の強度センサーを含む、
システム。
【００９４】
５．  クレーム４のシステムにおいて、
それにおいて、前記光の強度の補正サブシステムは、最も少ないときで各々の光のダンプ経路における前記光の強度センサーから受けられた入力に基礎が置かれた、前記白色点、前記カラーチャネル強度、又はそれら両方のものを決定する、システム。
【００９５】
６．  クレーム３のシステムにおいて、
それにおいて、前記多重のカラーチャネルの各々は、光のダンプ経路を共有すると共に、
それにおいて、前記光の強度の補正サブシステムは、前記共有された光のダンプ経路における光の強度センサーを含む、
システム。
【００９６】
７．  クレーム６のシステムにおいて、
それにおいて、前記光の強度の補正サブシステムは、最も少ないときで前記共有された光のダンプ経路における前記光の強度センサーから受けられた入力に基礎が置かれた前記白色点、前記カラーチャネル強度、又はそれら両方のものを決定する、システム。
【００９７】
８．  クレーム３のシステムにおいて、
それにおいて、前記光の教祖の補正サブシステムは、最も少ないときで一つのイメージの経路における光の強度センサーを含む、システム。
【００９８】
９．  クレーム８のシステムにおいて、
前記センサーは、それの経路における光のさらなる投射を予防するところの閉じられた位置におけるシャッターにおけるものである、システム。
【００９９】
１０．  クレーム８のシステムにおいて、
それにおいて、前記センサーは、前記複数のカラーチャネルの全てのものが組み合わせられてきたものであるところのイメージの経路における場所におけるものである、システム。
【０１００】
１１．  クレーム８のシステムにおいて、
それにおいて、前記センサーは、前記複数のカラーチャネルが組み合わせられてきてはいないものであるところのイメージの経路における場所におけるものである、システム。
【０１０１】
１２．  イメージを形成するシステムによって発生させられた光強度を補正するための方法であって、前記方法は、
前記イメージを形成するシステムから、光の複数の異なるカラーチャネルを発生させること、前記イメージを形成するシステムが各々が最も少ないときで前記イメージを形成するシステムによって発生させられた前記複数のカラーチャネルの単一のカラーチャネルを発生させるために構成された複数の光源サブシステムを具備すること、各々の光源サブシステムが複数のレーザーを具備すること；
各々の光源サブシステムにおける個々のレーザーによって出力されたレーザーの光強度を決定すること、
対応する決定されたレーザーの光強度の絶対値が第一の閾値の量だけ予め決定されたレーザーの光強度から外れるとすれば個々のレーザーの光強度を変化させるために各々の光源サブシステムをコントロールすること；
前記複数のカラーチャネルの各々についてカラーチャネル強度を決定すること；
対応する決定されたカラーチャネル強度の絶対値が第二の閾値の量だけ予め決定されたカラーチャネル強度から外れるとすればそれのものから出力された光強度を変化させるために各々の光源サブシステムをコントロールすること；
前記複数のカラーチャネルの白色点を決定すること；及び、
前記決定された白色点の絶対値が第三の閾値の量だけ予め決定された白色点から外れるとすれば前記複数のカラーチャネルの一つのもの又はより多いものの強度を変化させるために前記光源サブシステムをコントロールすること
：を具備する、方法。
【０１０２】
１３．  クレーム１２の方法において、
それにおいて、前記決定すること及び変化させることの最も少ないときでいくつかは、前記イメージを形成するシステムの構築の完了の間に又はそれと同時代に起こる、方法。
【０１０３】
１４．  クレーム１２の方法において、
それにおいて、前記決定すること及び変化させることの最も少ないときでいくつかは、前記イメージを形成するシステムのパワーをオンにすること又は再起動することによって開始されたスタートアップの手順の間の又はそれと同時代に起こる、方法。
【０１０４】
１５．  クレーム１２の方法において、
それにおいて、前記決定すること及び変化させることの最も少ないときでいくつかは、前記イメージを形成するシステムを備えたビデオを投射させることに対して丁度先行して起こる、方法。
【０１０５】
１６．  クレーム１２の方法において、
それにおいて、前記決定することの最も少ないときでいくつかは、前記複数の光源サブシステムの一つのもののみが、光を発生させるものであるとき、起こる、方法。
【０１０６】
１７．  クレーム１２の方法において、
それにおいて、前記決定することの最も少ないときでいくつかは、シャッターにおける光の強度センサーによって起こると共に、
それにおいて、前記方法は、さらに、それの経路における光のさらなる投射を予防するところの閉じられた位置へと前記シャッターを閉じることを具備すると共に、前記閉じることが前記決定することの最も少ないときでいくつかに先行して起こるものである、
方法。
【０１０７】
１８．  クレーム１７の方法において、
それにおいて、前記レーザーの光強度の決定することは、第一の周波数で起こると共に、
前記カラーチャネル強度の決定することは、前記第一の周波数と比べてより低い第二の周波数で起こると共に、
前記白色点の決定することは、前記第二の周波数と比べてより低い第三の周波数で起こる、
方法。
【０１０８】
１９．  クレーム１８の方法において、
それにおいて、前記第一の周波数は、おおよそ５０ｋＨｚからおおよそ２００ｋＨｚまでの間におけるものである、方法。
【０１０９】
２０．  クレーム１８の方法において、
それにおいて、前記第二の周波数は、おおよそ１ｋＨｚからおおよそ１０ｋＨｚまでの間におけるものである、方法。
【０１１０】
２１．  クレーム１９の方法において、
それにおいて、前記第二の周波数は、おおよそ１ｋＨｚからおおよそ１０ｋＨｚまでの間におけるものであると共に、
それにおいて、前記第三の周波数は、一秒当たり約１又は２サイクルである、
方法。
【０１１１】
２２．  光投射システムであって、
最も少ないときで光の複数の異なるカラーチャネルのものを出力するために構成されたイメージを形成するサブシステム、前記イメージを形成するサブシステムが各々が最も少ないときで前記イメージを形成するサブシステムによって出力された前記複数のカラーチャネルの単一のカラーチャネルを発生させるために構成された複数の光源サブシステムを具備すること、各々の光源サブシステムが複数のレーザーを具備すること；並びに、
最も少ないときで
第一に前記光源サブシステムの第一のものからのカラーチャネル強度が最も少ないときで閾値の量だけ予め決定されたカラーチャネル強度と比べてより低いものであることを決定する；
第二に第一の光源サブシステムからの前記カラーチャネル強度が前記予め決定されたカラーチャネル強度の前記閾値の量内にまで増加させられたものであることができないことを決定する；及び、
前記第二の決定することに対する応答において、それのカラーチャネル強度を低減するために第二の光源サブシステムをコントロールする
：ために構成された光の強度の補正サブシステム
：を具備する、システム。
【０１１２】
２３．  クレーム２２のシステムにおいて、
それにおいて、前記第一の決定することは、前記光の複数のカラーチャネルの全てのもののカラーチャネル強度を決定するところの白色点の決定のプロセスの一部分として、起こる、システム。
【０１１３】
２４．  イメージを形成するシステムによって発生させられた光強度を補正するための方法であって、前記方法は、
前記イメージを形成するサブシステムから、光の複数の異なるカラーチャネルを発生させること、前記イメージを形成するサブシステムが各々が最も少ないときで前記イメージを形成するサブシステムによって発生させられた前記複数のカラーチャネルの単一のカラーチャネルを発生させるために構成された複数の光源サブシステムを具備すること、各々の光源サブシステムが複数のレーザーを具備すること；
第一に、前記光源サブシステムの第一のものからのカラーチャネル強度が閾値の量だけ予め決定されたカラーチャネル強度と比べてより低いものであることを決定すること；
第二に、前記第一の光源サブシステムからのカラーチャネル強度が前記予め決定されたカラーチャネル強度の前記閾値の量内にまで増加させられたものであることができないことを決定すること；及び
前記第二の決定することに対する応答において、前記第一の光源サブシステムのカラーチャネル強度の閾値の量内にまでそれのカラーチャネル強度を低減するために第二の光源サブシステムをコントロールすること
：を具備する、方法。
【０１１４】
２５．  クレーム２４の方法において、
それにおいて、前記第一の決定することは、前記光の複数のカラーチャネルの全てのもののカラーチャネル強度を決定するところの白色点の決定プロセスの一部分として起こる、方法。
【図１】
0005663570.tif 000002
【図２】
0005663570.tif 000003
【図３】
0005663570.tif 000004
【図４】
0005663570.tif 000005
【図５】
0005663570.tif 000006
【図６】
0005663570.tif 000007
【図７】
0005663570.tif 000008
【図８】
0005663570.tif 000009
【図９】
0005663570.tif 000010
【図１０】
0005663570.tif 000011
【図１１】
0005663570.tif 000012
【図１２】
0005663570.tif 000013
【図１３】
0005663570.tif 000014
【図１４】
0005663570.tif 000015
【図１５】
0005663570.tif 000016
【図１６】
0005663570.tif 000017
【図１７】
0005663570.tif 000018
【図１８】
0005663570.tif 000019
【図１９】
0005663570.tif 000020
【図２０】
0005663570.tif 000021
【図２１】
0005663570.tif 000022